(57)【要約】      （修正有）【課題】噴射力を高く維持でき、かつ封入物の残存量を低減可能な噴射容器を得る。【解決手段】少なくとも気体もしくは液体を含む封入物１５を容器外部の気圧より高圧で充填し、バルブ６を開けることにより、充填されていた封入物１５を外部に噴射できる噴射容器１であって、容器本体２と、その容器本体２の内部に封入される袋体であって弾性的に伸縮する伸縮袋体１０と、伸縮袋体１０の内部に配置される芯材２０と、伸縮袋体１０の内部に封入物１５を出し入れ可能な流路２５と、を備え、伸縮袋体１０は、流路２５と通じる一方で、容器本体２の空間９から閉ざされた空間を有し、伸縮袋体１０は、その内部に、容器外部の気圧より高圧にて封入物１５を封入可能であって、その伸縮性を利用して封入物１５を外部に噴出する噴射容器１に関する。【選択図】図２
2015006900.tif 000002
【特許請求の範囲】
【請求項１】
少なくとも気体もしくは液体を含む封入物を容器外部の気圧より高圧で充填し、バルブを開けることにより、充填されていた上記封入物を外部に噴射できる噴射容器であって、
容器本体と、
その容器本体の内部に封入される袋体であって弾性的に伸縮する伸縮袋体と、
上記伸縮袋体の内部に配置される芯材と、
上記伸縮袋体の内部に上記封入物を出し入れ可能な流路と、
を備え、
上記伸縮袋体は、上記流路と通じる一方で、上記容器本体の空間から閉ざされた空間を有し、
上記伸縮袋体は、その内部に、上記容器外部の気圧より高圧にて上記封入物を封入可能であって、その伸縮性を利用して上記封入物を外部に噴出することを特徴とする噴射容器。
【請求項２】
前記伸縮袋体は、その開口部を、前記容器本体の前記バルブ側に固定され、
前記芯材は、前記伸縮袋体の上記開口部側に固定され、前記伸縮袋体の内部において、その固定された位置から前記容器本体の長さ方向に延びるように配置されていることを特徴とする請求項１に記載の噴射容器。
【請求項３】
前記流路は、前記芯材の内部に形成される貫通路あるいは外部に形成される溝を含むことを特徴とする請求項１または請求項２に記載の噴射容器。
【請求項４】
前記伸縮袋体に前記封入物が充填されていない状態において、
前記芯材は、前記伸縮袋体の内部の空間よりも小さく、前記芯材の外壁と前記伸縮袋体の内壁との間に隙間を備えることを特徴とする請求項１から請求項３のいずれか１項に記載の噴射容器。
【請求項５】
前記伸縮袋体に前記封入物が充填されていない状態において、
前記芯材は、前記伸縮袋体の内部の空間よりも大きく、かつ
前記伸縮袋体は、前記芯材の外壁に対して圧力を与える状態にあることを特徴とする請求項１から請求項３のいずれか１項に記載の噴射容器。
【請求項６】
前記伸縮袋体の外側に、第２伸縮袋体を配置し、
上記第２伸縮袋体は、前記伸縮袋体の膨張時に追随して膨張可能であって、かつ前記伸縮袋体の収縮時にも追随して収縮可能であることを特徴とする請求項１から請求項５のいずれか１項に記載の噴射容器。
【請求項７】
前記容器本体は、外部に通じる１以上の貫通部を備えることを特徴とする請求項１から請求項６のいずれか１項に記載の噴射容器。
【請求項８】
前記伸縮袋体を主にシリコーンゴムにて構成していることを特徴とする請求項１から請求項７に記載の噴射容器。
【発明の詳細な説明】
【技術分野】
【０００１】
本発明は、封入物を噴射する噴射容器に関する。
【背景技術】
【０００２】
従来から、殺虫・防虫剤、化粧料、消火剤などの封入物を噴霧させるスプレー式の容器として、容器内に圧縮気体によって加圧された液剤を細い管を通して外部に噴射させる、いわゆるエアゾール製品が知られている。かかる従来から公知のエアゾール製品は、封入物の噴射剤として、人体に影響の少ないフロンガスを用いるものも少なくなかった。しかし、近年になって、フロンガスは、オゾン層を破壊して地球温暖化の一因になり得ることから、噴射容器内のガスのみならず洗浄剤などからも完全に撤廃されるようになった。このような環境保護の観点を一つの契機として、噴射容器中の封入物を噴射する方法の一つに、加圧封入された気体を用いない噴射機構も考えられてきた（例えば、特許文献１を参照）。
【先行技術文献】
【特許文献】
【０００３】
【特許文献１】実開平４−１１８６号公報
【発明の概要】
【発明が解決しようとする課題】
【０００４】
しかし、上記特許文献１に開示される噴射容器には、次のような問題がある。図８は、特許文献１に開示される噴射容器と同様の構造を持つ従来から公知の噴射容器であって、封入物の充填前（Ａ）、充填後（Ｂ）および噴射後（Ｃ）の各状態を示す。噴射容器１００は、封入物１０１を充填するための容器本体１０２の中に、伸縮性の袋体（伸縮袋体）１０３を収縮状態で格納する（Ａを参照）。伸縮袋体１０３は、容器本体１０２の上方に開口部１０４を固定し、容器本体１０２の空間とは連通していない。噴射容器１００の上部に配置されるアクチュエーター１０５の噴射口１０６から伸縮袋体１０３の内部に向けて封入物１０１を高圧充填すると、伸縮袋体１０３は、容器本体１０２の内部で膨らむ（Ｂを参照）。伸縮袋体１０３の膨張を阻害しないように、容器本体１０２の一部に孔１０７を設け、容器本体１０２の内部を外部と連通させておく方が好ましい。Ｂの状態から、アクチュエーター１０５を押し、バルブ１０８を開けると、伸縮袋体１０３の内部に充填されていた封入物１０１は、流路１０９、噴射口１０６を通じて外部に噴射される。封入物１０１の減少に伴い、伸縮袋体１０３は、どんどん収縮していく。
【０００５】
しかし、伸縮袋体１０３の引き伸ばし率が大きいと、伸縮袋体１０３の内部に封入物１０１を高圧充填した際に、伸縮袋体１０３がクリープ変形して伸びたままの状態になり、封入物１０１の噴射時に元の状態まで戻らなくなる。そうなると、噴射力の低下や封入物１０１の残存という問題が生じてしまう。ここで、伸縮袋体１０３のクリープ変形を抑制すべく、初期の伸縮袋体１０３を大きくして、封入物１０１を充填したときの引き伸ばし率を小さく抑える方法も考えられる。しかし、この方法では、封入物１０１の噴射終了後の残存量が多くなってしまう。
【０００６】
本発明は、上記のような問題を解決するためになされたものであり、噴射力を高く維持でき、かつ封入物の残存量を低減可能な噴射容器を得ることを目的とする。
【課題を解決するための手段】
【０００７】
上記目的を達成するための本発明の一形態は、少なくとも気体もしくは液体を含む封入物を容器外部の気圧より高圧で充填し、バルブを開けることにより、充填されていた封入物を外部に噴射できる噴射容器であって、容器本体と、その容器本体の内部に封入される袋体であって弾性的に伸縮する伸縮袋体と、伸縮袋体の内部に配置される芯材と、伸縮袋体の内部に封入物を出し入れ可能な流路とを備え、伸縮袋体には、流路と通じる一方で、容器本体の空間から閉ざされた空間を有し、さらに、伸縮袋体の内部に、容器外部の気圧より高圧にて封入物を封入可能であって、その伸縮性を利用して封入物を外部に噴出する噴射容器である。
【０００８】
本発明の別の形態は、さらに、伸縮袋体の開口部を容器本体のバルブ側に固定し、芯材を、伸縮袋体の開口部側に固定して伸縮袋体の内部においてその固定された位置から容器本体の長さ方向に延びるように配置した噴射容器である。
【０００９】
本発明の別の形態は、さらに、流路を、芯材の内部に形成される貫通路あるいは外部に形成される溝を含む噴射容器である。
【００１０】
本発明の別の形態は、また、伸縮袋体に封入物が充填されていない状態において、芯材が伸縮袋体の内部の空間よりも小さく、芯材の外壁と伸縮袋体の内壁との間に隙間を備える噴射容器である。
【００１１】
本発明の別の形態は、また、伸縮袋体に封入物が充填されていない状態において、芯材が伸縮袋体の内部の空間よりも大きく、かつ伸縮袋体が芯材の外壁に対して圧力を与える状態にある噴射容器である。
【００１２】
本発明の別の形態は、また、伸縮袋体の外側に、第２伸縮袋体を配置し、第２伸縮袋体が伸縮袋体と連通しておらず、第２伸縮袋体が伸縮袋体の膨張時に追随して膨張可能であって、かつ伸縮袋体の収縮時にも追随して収縮可能な噴射容器である。
【００１３】
本発明の別の形態は、また、容器本体に、外部に通じる１以上の貫通部を備える噴射容器である。
【００１４】
本発明の別の形態は、また、伸縮袋体を主にシリコーンゴムにて構成している噴射容器である。
【発明の効果】
【００１５】
本発明によれば、噴射力を高く維持でき、かつ封入物の残存量を低減可能な噴射容器を得ることができる。
【図面の簡単な説明】
【００１６】
【図１】図１は、本発明の第一実施形態に係る噴射容器の斜視図（１Ａ）および面Ｓによって噴射容器をその高さ方向に切断した際の縦断面図（１Ｂ）を示す。
【図２】図２は、図１の噴射容器に封入物を充填した状態を示す。
【図３】図３は、図２の状態から封入物を外部に噴射し、封入物の噴射を終了した状態を示す。
【図４】図４は、第二実施形態に係る噴射容器を、図１の面Ｓで切断したときの縦断面図（４Ａ）およびその噴射容器の中から封入物を噴射完了した状態の縦断面図（４Ｂ）を示す。
【図５】図５は、本発明の第三実施形態に係る噴射容器を、図１の面Ｓで切断したときの縦断面図を示す。
【図６】図６は、図５の噴射容器に封入物を充填した後、その噴射容器の中から封入物を噴射完了した状態の縦断面図を示す。
【図７】図７は、本発明の第四実施形態に係る噴射容器を、図１の面Ｓで切断したときの縦断面図を示す。
【図８】図８は、特許文献１に開示される噴射容器と同様の構造を持つ従来から公知の噴射容器であって、封入物の充填前（Ａ）、充填後（Ｂ）および噴射後（Ｃ）の各状態を示す。
【発明を実施するための形態】
【００１７】
次に、本発明に係る噴射容器の各実施形態について説明する。
【００１８】
＜第一実施形態＞
図１は、本発明の第一実施形態に係る噴射容器の斜視図（１Ａ）および面Ｓによって噴射容器をその高さ方向に切断した際の縦断面図（１Ｂ）を示す。
【００１９】
この実施形態に係る噴射容器１は、少なくとも気体もしくは液体を含む封入物を容器外部の気圧より高圧で充填し、後述のバルブ６を開けることにより、充填されていた封入物を外部に噴射できる容器である。封入物としては、気体のみ、液体のみ、気体と液体の混合物、気体と固体の混合物、液体と固体の混合物、気体と液体と固体の混合物のいずれかであれば特に制限無く、消火剤、防虫剤、殺虫剤、塗料、消臭剤、潤滑剤（例えば、防錆用のもの）、人体用消臭剤、制汗剤、医薬品、シェービングクリーム、ボディソープ、化粧料、食用油、液体調味料、頭髪用品、香水などを例示できる。噴射容器１は、略円筒形状の容器本体２と、その天面側を覆う蓋部材３とを備える。蓋部材３は、容器本体２側に窪む凹部を有し、その凹部の略中央部に、上方に向かって突出する突出部４を有する。突出部４は、その上方に、容器本体２側に向かって押し込み可能なアクチュエーター５を備える。アクチュエーター５は、その底部にバルブ６を有しており、そのバルブ６を、突出部４の天面に形成された開口部を開閉できるように、突出部４の内部に挿入する形態にて突出部４の上部に配置されている。アクチュエーター５は、その上方の側面に形成される噴射口７と、噴射口７からアクチュエーター５の内部を通り、バルブ６近傍の側面まで通じる経路８とを備える。経路８は、バルブ６が突出部４の天面の開口部を塞いでいる際には、容器本体２の内部とつながらないが、アクチュエーター５を押し込んでバルブ６を開けた際には、容器本体２の内部とつながるように、アクチュエーター５の内部に形成されている。
【００２０】
容器本体２は、樹脂（ゴムも含むように広義に解釈する）、ガラス、金属などの如何なる材料から構成されていても良いが、後述の構造を持つために、必ずしも高い耐圧性を要しないことから、ＳＵＳなどの剛性の高い金属で構成される必要は無く、樹脂、金属であっても薄肉のアルミニウムなどの材料にて好適に構成される。
【００２１】
噴射容器１は、上述の容器本体２に加え、容器本体２の内部に封入される袋体であって弾性的に伸縮する伸縮袋体１０と、伸縮袋体１０の内部に配置される芯材２０と、伸縮袋体１０の内部に封入物を出し入れ可能な流路２５と、を備える。流路２５は、バルブ６を開けた際に、アクチュエーター５の内部に形成される経路８、噴射口７を通じて外部につながるように形成される。この実施形態では、流路２５は、芯材２０の内部を貫通して、伸縮袋体１０の開口部１２に近い内側面に開口するように、芯材２０に形成されている。しかし、流路２５は、芯材２０に形成されず、芯材２０の外側から伸縮袋体１０の内部につながるように形成されていても良い。
【００２２】
伸縮袋体１０は、流路２５と通じる一方で、容器本体２の空間から閉ざされた空間を有する。伸縮袋体１０は、その内部に、容器外部の気圧より高圧にて封入物を封入可能であって、その伸縮性を利用して封入物を外部に噴出することのできる袋体である。伸縮袋体１０は、その開口部１２を、容器本体２のバルブ６側（この実施形態では、容器本体２の上部）に固定されている。具体的には、伸縮袋体１０は、開口部１２を、容器本体２の上部に備えられる環状の固定部材１１に接続して、容器本体２の内部空間９に備えられている。伸縮袋体１０は、伸縮性に富む樹脂材料、例えば、シリコーンゴム、ウレタンゴム、イソプレンゴム、エチレンプロピレンゴム、天然ゴム、エチレンプロピレンジエンゴムあるいはスチレンブタジエンゴム等の熱硬化性エラストマー、ウレタン系、エステル系、スチレン系、オレフィン系、ブタジエン系あるいはフッ素系等の熱可塑性エラストマー、あるいはそれらの複合物等などから構成される。また、伸縮袋体１０は、封入物と接触しても容易に変性しないように、耐酸性若しくは耐アルカリ性、耐油性、耐溶剤性等の高い樹脂材料にて構成されるのが好ましく、例えば、フッ素系のゴムから好適に構成される。ただし、伸縮袋体１０の内部表面に、フッ素コーティングを施し、伸縮袋体１０自体の主材には、フッ素系のゴムよりも耐変性の低い材料、例えば、シリコーンゴムを用いても良い。
【００２３】
芯材２０は、この実施形態では、伸縮袋体１０の開口部１２側に固定され、伸縮袋体１０の内部において、その固定された位置から容器本体２の長さ方向に延びるように配置されている。芯材２０の内部に形成される流路２５は、バルブ６の底部と対向する芯材２０の上面２１から芯材２０の側面まで貫通して形成された貫通路である。ただし、流路２５は、貫通路に限定されず、芯材２０の外表面に形成される溝の形態であっても良い。
【００２４】
芯材２０は、樹脂（ゴムも含むように広義に解釈する）、ガラス、金属などの如何なる材料から構成されていても良いが、伸縮袋体１０の内部に封入物を充填した際に、その封入物の圧力によって芯材２０自体が簡単に収縮しないような材料で構成される方が好ましい。好適には、芯材２０は、伸縮袋体１０よりも伸縮性の低い材料で形成される。例えば、伸縮袋体１０をフッ素系のゴムやシリコーンゴムなどのゴムで形成する場合には、芯材２０を当該ゴムより伸縮性の低い熱可塑性あるいは熱硬化性樹脂、ガラス、アルミナ等のセラミックス、ＳＵＳ等の金属で構成するのが好ましい。また、この実施形態では、芯材２０は、流路２５以外の空間を有しない構造であるが、容易に伸縮しないならば、その内部を空洞化した外殻構造を有するものでも良い。ただし、その場合には、流路２５を、芯材２０内の空洞と通じないように形成する必要がある。
【００２５】
この実施形態では、芯材２０は、封入物を充填していない状態の伸縮袋体１０（すなわち、内圧も外圧もかかっていない自然状態の伸縮袋体１０）の内容積よりも小さい。このため、伸縮袋体１０に封入物が充填されていない状態において、芯材２０は、その外壁と伸縮袋体１０の内壁との間に隙間２２を備える。伸縮袋体１０に封入物を充填する際、その封入物は、流路２５を通って、隙間２２に流れ込み、伸縮袋体１０を膨らませる。
【００２６】
容器本体２は、好ましくは、その底面に、外部に通じる２つの貫通部３０を備える。貫通部３０は、１つ以上であればその個数を問わず、さらにはその形状およびその形成位置も問わない。貫通部３０を形成するのは、容器本体２の内部空間９を外部と同一の気圧にするためである。このような気圧設計により、伸縮袋体１０に封入物を加圧充填した際に、伸縮袋体１０が膨らんでも、容器本体２内が密閉されていないので、容器本体２の内圧が高くなることを防止できる。この結果、容器本体２を耐圧性の高い構造にする必要が無く、比較的耐圧性の低い樹脂等の材料で容器本体２を形成できる。ただし、容器本体２に貫通部３０を備えることは必須ではなく、容器本体２と蓋部材３との間に、外部に通じる隙間等を設け、伸縮袋体１０の膨張に伴い、容器本体２の内部空間９が高圧にならないようにしても良い。また、貫通部３０などの外部に常時通じる孔を容器本体２に形成しないで、伸縮袋体１０の膨張に伴い、容器本体２の内部空間９の圧力が大きくなっても良い。その場合、容器本体２は、その内部圧力に耐えられる材料で形成したり、あるいは高耐圧性の構造を備えるのが好ましい。
【００２７】
図２は、図１の噴射容器に封入物を充填した状態を示す。図３は、図２の状態から封入物を外部に噴射し、封入物の噴射を終了した状態を示す。以後、図２以降の図面を参照して封入物について言及する際には、「封入物」に符号を付して、「封入物１５」と称する。
【００２８】
封入物１５を伸縮袋体１０の中に充填していくと、伸縮袋体１０は、容器本体２の内部空間９で膨張していく。封入物１５を伸縮袋体１０内に充填した段階では、図２に示すように、芯材２０と伸縮袋体１０内との間の空間、流路２５、および芯材２０上方の空間に、封入物１５が加圧充填されている。伸縮袋体１０は、この実施形態では、等方的に伸縮可能な袋体であるため、容器本体２の内部空間９において縦横問わずに一様に膨張している。ここで、「等方的」とは、必ずしもどの方向にも完全に均等であることまでを要せず、伸縮方向が特定方向に過度に偏っている状態ではない意味に広義に解釈される。
【００２９】
封入物１５の充填後、噴射容器１のアクチュエーター５を押すと、今度は、図２に示す状態から図３に示す状態へと移行する。アクチュエーター５を押してバルブ６が開状態になると、伸縮袋体１０の中に充填されている封入物１５は、封入物１５自体の高圧に加え、伸縮袋体１０が元の状態に戻る収縮力を利用して流路２５に押し出され、経路８を経て、噴射口７から噴射する。伸縮袋体１０は、封入物１５の外部への噴射に伴い収縮していくが、その内部に配置される芯材２０の外表面と隙間２２を有する状態で、収縮を終了する。収縮した伸縮袋体１０の内部には芯材２０が配置されているため、芯材２０の体積分だけ、封入物１５の残存量を減らすことができる。また、伸縮袋体１０の引き伸ばし率も低く抑えられるので、噴射力を高く維持できる。
【００３０】
＜第二実施形態＞
次に、本発明の第二実施形態に係る噴射容器について説明する。第二実施形態において、第一実施形態と共通する部分については、同じ符号を付し、重複した説明を省略する。
【００３１】
図４は、第二実施形態に係る噴射容器を、図１の面Ｓで切断したときの縦断面図（４Ａ）およびその噴射容器の中から封入物を噴射完了した状態の縦断面図（４Ｂ）を示す。
【００３２】
第二実施形態に係る噴射容器１は、芯材２０の長さ方向に貫くように流路２６を形成している点で、第一実施形態に係る噴射容器１と異なる。流路２６は、第一実施形態に係る噴射容器１に形成される流路２５とは異なり、芯材２０の側面に通じるものではなく、芯材２０の長さ方向、すなわち、容器本体２の上部から底部に通じるように形成されている。このような形態の流路２６を形成することにより、伸縮袋体１０の底部の封入物１５をスムーズに上部に送ることができるので、伸縮袋体１０の内部に残留する封入物１５をより低減することができる。
【００３３】
＜第三実施形態＞
次に、本発明の第三実施形態に係る噴射容器について説明する。第三実施形態において、第一実施形態と共通する部分については、同じ符号を付し、重複した説明を省略する。
【００３４】
図５は、本発明の第三実施形態に係る噴射容器を、図１の面Ｓで切断したときの縦断面図を示す。図６は、図５の噴射容器に封入物を充填した後、その噴射容器の中から封入物を噴射完了した状態の縦断面図を示す。
【００３５】
第三実施形態に係る噴射容器１は、封入物１５を伸縮袋体１０の内部に充填していない状態で、芯材２０と伸縮袋体１０とがほぼ密着状態にある点で、第一実施形態に係る噴射容器１と異なる。この実施形態では、芯材２０は、封入物１５を充填していない伸縮袋体１０の内部の空間よりも大きい。このため、第一実施形態と異なり、芯材２０の主要な外表面と伸縮袋体１０の内表面との間に、実質的に隙間２２が存在しない。ここで、「実質的に」と称するのは、芯材２０の上方の側面、芯材２０の側面にある流路２５の開口部などの領域では、伸縮袋体１０の内表面と芯材２０の外表面との間に隙間が存在し、全く隙間がないわけではないからである。このように、芯材２０を、自然状態の伸縮袋体１０の内部空間よりも大きくすることにより、伸縮袋体１０は、封入物１５を充填していない状態および封入物１５を外部に噴射し終えた段階において、芯材２０の外壁に対して圧力を与える状態にある。したがって、封入物１５を外部に噴射したときの残存量を低減でき、かつ伸縮袋体１０の収縮による噴射力を噴射終了まで高く維持できる。
【００３６】
＜第四実施形態＞
次に、本発明の第四実施形態に係る噴射容器について説明する。第四実施形態において、第一実施形態と共通する部分については、同じ符号を付し、重複した説明を省略する。
【００３７】
図７は、本発明の第四実施形態に係る噴射容器を、図１の面Ｓで切断したときの縦断面図を示す。
【００３８】
第四実施形態に係る噴射容器１は、伸縮袋体１０の外側に、もう一つの伸縮袋体（「第２伸縮袋体４０」という）を備える点で、第一実施形態に係る噴射容器１と異なる。第２伸縮袋体４０は、伸縮袋体１０の膨張時に追随して膨張可能であって、かつ伸縮袋体１０の収縮時にも追随して収縮可能である。この実施形態では、第２伸縮袋体４０と伸縮袋体１０との間に、隙間４２を有するが、隙間４２を有していなくても良い。また、芯材２０と伸縮袋体１０との間に、隙間２２が存在するが、これも存在していなくても良い。伸縮袋体１０および第２伸縮袋体４０は、ともに、容器本体２の上方において、蓋部材３の環状凹部で挟まれて固定されている。ただし、伸縮袋体１０および第２伸縮袋体４０の開口部の固定方法は、上述の方法に限定されない。
【００３９】
第２伸縮袋体４０は、伸縮袋体１０より弾力性に富む材料あるいは構造を有するのが好ましい。伸縮袋体１０の弾力性が低くても、第２伸縮袋体４０の弾力性を利用して、伸縮袋体１０の内部の封入物１５を外部に出すことができるからである。
【００４０】
＜その他の実施形態＞
以上、本発明の噴射容器の各実施形態について説明したが、本発明は、上記各実施形態に限定されず、種々の変形を施ことができる。
【００４１】
上述の各実施形態において、伸縮袋体１０は、その開口部１２を、容器本体２のバルブ６側に固定され、かつ芯材２０は、伸縮袋体１０の開口部１２側に固定され、伸縮袋体１０の内部において、その固定された位置から容器本体２の長さ方向に延びるように配置されている。しかし、伸縮袋体１０または芯材２０の固定位置は、必ずしも、バルブ６側であることを要しない。例えば、容器本体２の内底面側に封入物１５の出入口がある場合には、伸縮袋体１０の開口部１２および芯材２０の一端を容器本体２の底面側に固定しても良い。
【００４２】
第三実施形態に係る噴射容器１は、芯材２０の内部を上面２１から側面まで貫通するように形成された流路２５を備えている。しかし、上記の流路２５に代えて、芯材２０の外表面に形成される溝形状の流路を用いることもできる。その場合、溝を、芯材２０の長さ方向に沿って形成する方が好ましい。このような溝を形成することにより、伸縮袋体１０と芯材２０との間に実質的に隙間２２が存在していない場合であっても、芯材２０の内部を加工することなく、封入物１５の移動経路を確保できる。
【００４３】
本発明の各実施形態は、互いに組み合わせることのできる範囲で、各構成部を組み合わせることもできる。例えば、第二実施形態と第三実施形態とを組み合わせて、伸縮袋体１０と密着する芯材２０の内部に、その長さ方向に貫通する流路２６を形成しても良い。また、第二実施形態と第四実施形態とを組み合わせて、第２伸縮袋体４０を有する噴射容器１の芯材２０の内部に、その長さ方向に貫通する流路２６を形成しても良い。
【産業上の利用可能性】
【００４４】
本発明は、例えば、消火剤、防虫剤、殺虫剤、塗料、消臭剤、潤滑剤（例えば、防錆用のもの）、人体用消臭剤、制汗剤、医薬品、シェービングクリーム、ボディソープ、化粧料、食用油、液体調味料、頭髪用品、香水などを噴射可能な容器として利用できる。
【符号の説明】
【００４５】
１      噴射容器
２      容器本体
６      バルブ
９      内部空間（空間）
１０    伸縮袋体
１２    開口部
１５    封入物
２０    芯材
２２    隙間
２５，２６  流路（例えば、貫通路、溝などの形態）
３０    貫通部
４０    第２伸縮袋体
【図１】
2015006900.tif 000003
【図２】
2015006900.tif 000004
【図３】
2015006900.tif 000005
【図４】
2015006900.tif 000006
【図５】
2015006900.tif 000007
【図６】
2015006900.tif 000008
【図７】
2015006900.tif 000009
【図８】
2015006900.tif 000010